(57)【要約】【課題】うなりにより打球音の残響効果を発生させること。【解決手段】ゴルフクラブヘッドは、内部空間を有するヘッド本体と、第１の振動子と、第２の振動子とを有する。上記第１の振動子は、上記ヘッド本体の内面から上記内部空間に突出形成され、上記ヘッド本体による打球時の衝撃力により第１の周波数で振動する。上記第２の振動子は、上記内面から上記内部空間に突出形成され、上記衝撃力により上記第１の周波数とはわずかに異なる第２の周波数で振動する。【選択図】図５
2018192004.tif 000002
【特許請求の範囲】
【請求項１】
内部空間を有するヘッド本体と、
前記ヘッド本体の内面から前記内部空間に突出形成され、前記ヘッド本体による打球時の衝撃力により第１の周波数で振動する第１の振動子と、
前記内面から前記内部空間に突出形成され、前記衝撃力により前記第１の周波数とはわずかに異なる第２の周波数で振動する第２の振動子と
を具備するゴルフクラブヘッド。
【請求項２】
請求項１に記載のゴルフクラブヘッドであって、
前記第１の周波数と前記第２の周波数との差は１Ｈｚ〜３００Ｈｚの範囲である
ゴルフクラブヘッド。
【請求項３】
請求項１または２に記載のゴルフクラブヘッドであって、
前記ヘッド本体は、
前記内部空間に連通する少なくとも１つの開口部と、
前記ヘッド本体の装飾体または重量体として機能し前記開口部を覆う蓋部とを有し、
前記第１の振動子及び前記第２の振動子のうち少なくとも一方は、前記蓋部の内面に設けられる
を具備するゴルフクラブヘッド。
【請求項４】
請求項３に記載のゴルフクラブヘッドであって、
前記蓋部は、前記第１の振動子及び前記第２の振動子のうち少なくとも一方と一体的に形成されている
ゴルフクラブヘッド。
【請求項５】
請求項４に記載のゴルフクラブヘッドであって、
前記第１の振動子及び前記第２の振動子のうち少なくとも一方は、前記開口部の径よりも小さい径を有し、
前記蓋部は、前記開口部に着脱可能に設けられる
ゴルフクラブヘッド。
【請求項６】
請求項５に記載のゴルフクラブヘッドであって、
前記ヘッド本体は、前記蓋部を係合可能な凹部を有し、
前記開口部は、前記凹部の底面に設けられる
ゴルフクラブヘッド。
【請求項７】
請求項６に記載のゴルフクラブヘッドであって、
前記凹部の側面には、前記突出方向を回転軸とするねじ溝が形成され、
前記蓋部の側面には、前記ねじ溝に螺着可能なねじ部が形成される
ゴルフクラブヘッド。
【請求項８】
請求項１乃至７のいずれかに記載のゴルフクラブヘッドであって、
前記第１振動子及び前記第２の振動子の突出端は、それぞれ、板状、音叉形状、鐘形状のうちいずれかの形状を有する
ゴルフクラブヘッド。
【請求項９】
請求項１乃至８のいずれかに記載のゴルフクラブヘッドと、
前記ゴルフクラブヘッドに取り付けられるゴルフクラブシャフトと
を具備するゴルフクラブ。
【発明の詳細な説明】
【技術分野】
【０００１】
本発明は、中空構造のゴルフクラブヘッド及び当該ゴルフクラブヘッドを有するゴルフクラブに関する。
【背景技術】
【０００２】
従来から、例えばドライバー（１Ｗ）やスプーン（３Ｗ）といった中空構造のウッドタイプのゴルフクラブにおいては、ゴルファーがボールの打撃の的確性を判断したり爽快感を得たりするために、優れた打球音を発することが望まれている。
【０００３】
下記特許文献１には、ヘッド本体のソール板の内面に、共振片で囲んだ音室を形成した音箱を設置し、立体共振効果により、よい打球音を生じるようにしたゴルフクラブヘッドが開示されている。
【０００４】
下記特許文献２には、ソール部、クラウン部、およびサイド部のうち、少なくとも１つの部材について、フェース面の最小曲率半径よりも曲率半径が大きい領域を設け、この領域と略同一な平板部材を、領域に対して所定の間隔を設けて領域に対向して配置することで、ボールの打撃時に領域における部材と平板部材とをそれぞれ共振させ、両者の振幅を大きくすることで、打球音を大きくし残響を伸ばすことを意図したゴルフクラブヘッドが開示されている。
【０００５】
下記特許文献３には、フェース部の周辺部位に一端を固定し、他端側部分をフェース部側に向かってフェース部の内面に対して斜めに突き出して、フェース部の内面との間に振動空間を形成した振動体を設け、フェース部の振動を振動体に直接伝えるとともに振動空間を介して振動体に伝えることで、振動体の振動時間を長くし、優れた打球音を発することを意図したゴルフクラブヘッドが開示されている。
【先行技術文献】
【特許文献】
【０００６】
【特許文献１】特開２００６−０６１２７６号公報
【特許文献２】特開２００８−２００３１９号公報
【特許文献３】特開２００９−０１１３６５号公報
【発明の概要】
【発明が解決しようとする課題】
【０００７】
ところで、ゴルファーにとって上記打球音を心地よく感じさせる手法の１つとして、打球音をうならせて残響効果を発揮させることが考えられる。しかしながら、上記特許文献１及び２に記載の技術においては、温室及び平板部材はそれぞれ１つのみ設けられているためうなりは発生せず、また上記特許文献３に記載の技術においては、振動体は複数示されているがいずれも同一形状であり振動数も同一であることから、やはりうなりを発生させることはできない。
【０００８】
以上のような事情に鑑み、本発明の目的は、うなりにより打球音の残響効果を発生させることが可能なゴルフクラブヘッド及びそのゴルフクラブヘッドを有するゴルフクラブを提供することにある。
【課題を解決するための手段】
【０００９】
上記目的を達成するため、本発明の一形態に係るゴルフクラブヘッドは、内部空間を有するヘッド本体と、第１の振動子と、第２の振動子とを有する。上記第１の振動子は、上記ヘッド本体の内面から上記内部空間に突出形成され、上記ヘッド本体による打球時の衝撃力により第１の周波数で振動する。上記第２の振動子は、上記内面から上記内部空間に突出形成され、上記衝撃力により上記第１の周波数とはわずかに異なる第２の周波数で振動する。
【００１０】
この構成により、打球時における２つの振動子の周波数をわずかに異ならせることで、うなりを発生させ、それにより、ヘッド本体の打球音が終了した後も打球音がうなりながら持続するような残響効果を発生させることができる。
【００１１】
上記第１の周波数と上記第２の周波数との差は１Ｈｚ〜３００Ｈｚの範囲であってもよい。
【００１２】
上記ヘッド本体は、上記内部空間に連通する少なくとも１つの開口部と、上記ヘッド本体の装飾体または重量体として機能し上記開口部を覆う蓋部とを有してもよい。この場合上記第１の振動子及び上記第２の振動子のうち少なくとも一方は、上記蓋部の内面に設けられる。
【００１３】
これにより、第１の振動子と第２の振動子のうち少なくとも一方が、ヘッド本体に一般的に設けられる装飾体または重量体としても機能する蓋部に設けられていることから、第１の振動子または第２の振動子を蓋部以外の箇所に設ける場合に比べて、部品点数の増加及び製造工程の複雑化を抑えることができる。
【００１４】
上記蓋部は、上記第１の振動子及び上記第２の振動子のうち少なくとも一方と一体的に形成されていてもよい。
【００１５】
これにより蓋部と少なくとも一方の振動子が一体形成されていることで、従来から存在する蓋部の設計を極力変更することなく、うなりによる残響効果を得ることができる。
【００１６】
上記第１の振動子及び上記第２の振動子のうち少なくとも一方は、上記開口部の径よりも小さい径を有してもよく、この場合上記蓋部は、上記開口部に着脱可能に設けられる。
【００１７】
これにより、少なくとも一方の振動子が開口部に挿入された状態で開口部を蓋部で覆うことで蓋部及び振動子の設置が容易に完了し、かつヘッド本体（開口部）から着脱自在であることから、製造工程が容易になるとともに、異なる種類の振動子が一体形成された蓋部を交換することで、打球音の改善も図ることが可能となる。
【００１８】
上記ヘッド本体は、上記蓋部を係合可能な凹部を有してもよく、この場合上記開口部は、上記凹部の底面に設けられる。
【００１９】
これにより、製造時において、蓋部を凹部に固定する工程と少なくとも一方の振動子を開口部に挿入する工程とを同時に行うことが可能となる。
【００２０】
上記凹部の側面には、上記突出方向を回転軸とするねじ溝が形成され、上記蓋部の側面には、上記ねじ溝に螺着可能なねじ部が形成されてもよい。
【００２１】
これにより、蓋部をヘッド本体に螺着することで強固に固定することができる。
【００２２】
上記第１振動子及び上記第２の振動子の突出端は、それぞれ、板状、音叉形状、鐘形状のうちいずれかの形状を有してもよい。
【００２３】
本発明の他の形態に係るゴルフクラブは、上記いずれかに記載のゴルフクラブヘッドと、当該ゴルフクラブヘッドに取り付けられるゴルフクラブシャフトとを有する。
【発明の効果】
【００２４】
以上説明したように、本発明によれば、うなりにより打球音の残響効果を発生させることができる。しかし、この効果は本発明を限定するものではない。
【図面の簡単な説明】
【００２５】
【図１】本発明の第１の実施形態に係るゴルフクラブのゴルフクラブヘッドの底面方向の平面図である。
【図２】図１に示したゴルフクラブヘッドから各バッジ部を取り外した状態を示した図である。
【図３】図１に示したゴルフクラブヘッドの側面図である。
【図４】図３に示したゴルフクラブヘッドの第１バッジ部をヘッド本体から透過して示した図である。
【図５】図３及び図４のＡ−Ａ断面図である。
【図６】本発明の第２の実施形態に係るゴルフクラブヘッドの第１バッジ部をヘッド本体から透過して示した側面図である。
【図７】図６のＢ−Ｂ断面図である。
【図８】本発明の第３の実施形態に係るゴルフクラブヘッドの第１バッジ部をヘッド本体から透過して示した側面図である。
【図９】図８のＣ−Ｃ断面図である。
【図１０】本発明の他の実施形態に係るゴルフクラブヘッドの第１バッジ部を示した略式部分断面図である。
【発明を実施するための形態】
【００２６】
以下、図面を参照しながら、本発明の実施形態を説明する。
【００２７】
［第１の実施形態］
まず、本発明の第１の実施形態について説明する。
【００２８】
図１は、本実施形態に係るゴルフクラブのゴルフクラブヘッドの底面方向の平面図である。図２は、図１に示したゴルフクラブヘッドから各バッジ部を取り外した状態を示した図である。また図３は、図１に示したゴルフクラブヘッドの側面図であり、図４は、図３に示したゴルフクラブヘッドの第１バッジ部をヘッド本体から透過して示した図である。図５は、図３及び図４のＡ−Ａ断面図である。
【００２９】
これらの図に示すように、本実施形態に係るゴルフクラブ１００は、ゴルフクラブヘッド１０と、当該ゴルフクラブヘッド１０に取り付けられるゴルフクラブシャフト５とを有する。
【００３０】
ゴルフクラブシャフト５は、例えば図示しないソケット等を介してゴルフクラブヘッド１０に取り付けられるが、ソケット等を介さずに直接取り付けられてもよい。
【００３１】
ゴルフクラブヘッド１０は、ヘッド本体１と、当該ヘッド本体１に着脱可能に設けられた第１バッジ部２及び第２バッジ部３とを有する。ヘッド本体１は、フェース部１ａ、ソール部１ｂ及びクラウン部１ｃを有し、それらによって内部空間が形成された中空構造を有しており、一般にウッドタイプと呼ばれるヘッドである。同図の例では、ドライバー（１Ｗ）のヘッドが示されている。ヘッド本体１は、例えばチタン等の金属によって製造される。
【００３２】
特に図２に示すように、ヘッド本体１の例えばソール部１ｂのヒールバック側とトゥバック側には、それぞれ、円形の第１開口部１１ａ及び第２開口部１１ｂが形成されており、上記第１バッジ部２は、第１開口部１１ａを覆うように設けられ、上記第２バッジ部３は第２開口部１１ｂを覆うように設けられている。
【００３３】
第１バッジ部２及び第２バッジ部３は、例えばゴルフクラブメーカーのロゴ等の模様が刻印されたり、デザイン性を向上させたりするための装飾体として機能する。第１バッジ部２及び第２バッジ部３は、上記第１開口部１１ａ及び第２開口部１１ｂをそれぞれ覆う円盤状の第１蓋部２１及び第２蓋部３１と、当該第１蓋部２１及び第２蓋部３１の内面からヘッド本体１の内部空間へ各図Ｚ方向に突出するように設けられた第１振動子２２及び第２振動子３２とを有する。
【００３４】
当該第１蓋部２１と第１振動子２２は一体的に形成され、第２蓋部３１と第２振動子３２も一体的に形成される。第１バッジ部２及び第２バッジ部３は、例えば胴、鋼鉄、ステンレス、リキッドメタル等の、振動しやすく（剛性が高く密度が低い）、振動の減衰が少ない金属材料で形成される。金属に代えて、ＦＲＰ(Fiber-Reinforced Plastics の略称)等の樹脂材料が用いられてもよい。
【００３５】
図２及び図５に示すように、上記第１開口部１１ａ及び第２開口部１１ｂは、ヘッド本体１に設けられた第１凹部１２ａ及び第２凹部１２ｂの各底面に設けられている。上記第１バッジ部２の第１蓋部２１及び第２バッジ部３の第２蓋部３１は、それぞれ、当該第１凹部１２ａ及び第２凹部１２ｂに嵌合可能な形状及び厚みを有している。また上記第１振動子２２及び第２振動子３２は、それぞれ、上記第１開口部１１ａ及び第２開口部１１ｂの各径よりも小さい径を有している。
【００３６】
ゴルフクラブヘッド１０の製造の際には、第１開口部１１ａ及び第２開口部１１ｂにそれぞれ第１振動子２２及び第２振動子３２を挿入し、第１蓋部２１及び第２蓋部３１をそれぞれ第１凹部１２ａ及び第２凹部１２ｂに嵌合させることで、第１バッジ部２及び第２バッジ部３がヘッド本体１に設置される。当該第１凹部１２ａ及び第２凹部１２ｂへの第１バッジ部２及び第２バッジ部３の固定を強固にするために、嵌合部分に接着剤等が使用されてもよく、第１バッジ部２及び第２バッジ部３を取り外す際には、当該接着剤を熱溶融等させることで接着力を除去することができる。
【００３７】
第１振動子２２及び第２振動子３２は、それぞれ、一端（円柱状の軸部）が第１蓋部２１及び第２蓋部３１に固定され、他端が自由となった片持ち梁形状を有する。
【００３８】
第１振動子２２は、上記ヘッド本体１による打球時の衝撃力により、所定の第１の周波数（共振周波数）で振動して音を発する。一方、上記第の振動子３２は、上記衝撃力により上記第１の周波数とはわずかに異なる所定の第２の周波数（共振周波数）で振動して音を発する。
【００３９】
これにより、打球時における第１振動子２２と第２振動子３２の周波数がわずかに異なることで、両振動子が発する音がうなりを発生し、それにより、ヘッド本体１の打球音が終了した後も当該打球音がうなりながら持続するような残響効果を発生させることができる。
【００４０】
本発明者による解析の結果、ゴルファーにとって心地よく感じる打球音は、概ね４０００Ｈｚ〜６０００Ｈｚの周波数を有する高音であることが分かった。そこで、上記第１の周波数と上記第２の周波数は、当該４０００Ｈｚ〜６０００Ｈｚの範囲に設定され、上記第１の周波数と上記第２の周波数との差（うなりの周波数）は、その範囲において第１振動子２２が発する音と第２振動子３２が発する音が干渉可能な、例えば１Ｈｚ〜３００Ｈｚの範囲に設定される。
【００４１】
図４及び図５に示すように、本実施形態における第１振動子２２は、その固定端が円柱状の軸部として形成され、自由端（突出端）が鐘（りん）形状に形成されている。一方、第２振動子３２は、その固定端が円柱状の軸部として形成され、自由端（突出端）が音叉形状に形成されている。
【００４２】
このように、本実施形態によれば、２つの振動子２２及び３２の周波数をわずかに異ならせることで、打球時の衝撃によって両者にうなりを発生させ、当該うなりを、ヘッド本体１の打球音の終了した後の残響音としてゴルファーに聴覚可能とすることで、ゴルファーにとって心地よい打球音がうなりながら持続するような残響効果を与えることができる。
【００４３】
［第２の実施形態］
次に、本発明の第２の実施形態について説明する。本実施形態及びこれ以降の実施形態について、上記第１の実施形態と同一の機能または構成を有する要素には同一の符号を付し、説明を省略または簡略化する。
【００４４】
図６は、本実施形態に係るゴルフクラブヘッド１０の第１バッジ部２をヘッド本体１から透過して示した側面図である。また図７は、図６のＢ−Ｂ断面図である。
【００４５】
両図に示すように、本実施形態における第１振動子２２と第２振動子３２は、いずれも、その固定端が円柱状の軸部として形成され、その自由端（固定端）が音叉形状に形成されている。ただし、両振動子はそれらの周波数が異なるように、異なる大きさ（または長さ）に形成されている。
【００４６】
このように、第１振動子２２と第２振動子３２を同じ形状としながら、その大きさまたは長さを異ならせて周波数をずらすことで、上述の第１の実施形態と同様のうなりによる残響効果を発揮できるとともに、第１の実施形態とは異なる残響音を生じさせることができる。
【００４７】
［第３の実施形態］
次に、本発明の第３の実施形態について説明する。
【００４８】
図８は、本実施形態に係るゴルフクラブヘッド１０の第１バッジ部２をヘッド本体１から透過して示した側面図である。また図９は、図８のＣ−Ｃ断面図である。
【００４９】
両図に示すように、本実施形態における第１振動子２２は、その固定端が円柱状の軸部として形成され、その自由端（突出端）が平板状に形成されている。一方、第２振動子３２は、その固定端が円柱状の軸部として形成され、自由端（突出痰）が音叉形状に形成されている。
【００５０】
両図の例では、第１振動子２２の軸部は蓋部２１の中心からずれた位置に配置されているが、軸部は蓋部２１の中心に配置されていてもよい。またこの場合、平板状体の長手方向の中心位置に軸部の上端が位置してもよい。
【００５１】
これにより、第１の実施形態と第２の実施形態と同様に２つの振動子でうなりによる残響効果を発揮できるとともに、それら実施形態とは異なる残響音を生じさせることができる。
【００５２】
［変形例］
本発明は上述の実施形態にのみ限定されるものではなく、本発明の要旨を逸脱しない範囲内において種々変更され得る。
【００５３】
上述の各実施形態においては、第１バッジ部２の第１蓋部２１及び第２バッジ部３の第２蓋部３１は、それぞれ、ヘッド本体１の第１凹部１２ａ及び第２凹部１２ｂに嵌合されることで固定された。しかし、それら第１蓋部２１及び第２蓋部３１と第１凹部１２ａ及び第２凹部１２ｂとは、螺着によって固定されてもよい。この場合、第１凹部１２ａ及び第２凹部１２ｂの各側面には、第１振動子２２及び第２振動子３２の各突出方向（Ｚ方向）を回転軸とするねじ溝が形成され、第１蓋部２１及び第２蓋部３１の各側面には、当該第１凹部１２ａ及び第２凹部１２ｂの各ねじ溝に螺着可能なねじ部が形成される。これにより、第１バッジ部２及び第２バッジ部３をそれぞれヘッド本体１に螺着することで強固に固定することができる。
【００５４】
上述の各実施形態において、第１振動子２２及び第２振動子３２は、鐘（りん）形状、音叉形状、平板形状とされた。しかし、第１振動子２２及び第２振動子３２の各形状はこれらに限られない。例えば、第１振動子２２または第２振動子３２は、長尺円柱（棒）形状とされてもよい。また、第１振動子２２の形状と第２振動子３２の形状は、上記第１実施形態及び第３実施形態に示したように異なる形状とされてもよいし、第２実施形態に示したように同一形状の異なる大きさまたは長さとされてもよい。
【００５５】
また、第１バッジ部２及び第２バッジ部３の他の螺着手法として、第１振動子２２及び第２振動子３２がそれぞれ第１開口部１１ａ及び第２開口部１１ｂに螺着される構造も実現可能である。図１０は、この場合の２つのバッジ部のうち第１バッジ部２を示した略式部分断面図である。同図に示すように、この場合第１開口部１１ａは、上述の各実施形態よりも狭径に形成されており、また第１凹部１２ａの背面側に設けられたボス１３と一体的に形成されている。第１開口部１１ａは、その内周面に、第１振動子２２の突出方向を回転軸とするねじ溝を有している。
【００５６】
またこの例における第１振動子２２は、上記第１開口部１１ａに挿入可能な長尺円筒状（棒状）に形成されており、その固定端側には、上記第１開口部１１ａのねじ溝に螺着可能なねじ部２２ａが形成されている。すなわち、この例においては、第１振動子２２は、第１バッジ部２をヘッド本体１に螺着可能なねじとして機能する。これにより、第１バッジ部２をヘッド本体１に螺着することで強固に固定することができるとともに、第１振動子２２を、当該螺着のためのねじとして兼ねることができる。第２振動子３２についてもこれと同様の構成とされ得る。
【００５７】
上述の各実施形態において、第１バッジ部２（の第１蓋部２１）及び第２バッジ部３（の第２蓋部３１）は、それぞれ第１振動子２２及び第２振動子３２の基部としての機能を果たすほか、装飾体として設けられていた。しかし、当該第１バッジ部２及び第２バッジ部３のうち少なくとも一方は、装飾体として機能する代わりに、またはそれに加えて、ゴルフクラブヘッド１０の重心を低くするためのウェイト（重量体）として機能してもよい。この場合、第１蓋部２１及び第２蓋部３１のみならず第１振動子２２及び第２振動子３２も、それらの重量によってウェイトを兼ねることができる。したがって、第１振動子２２及び第２振動子３２を異なる種類のものに交換することによってウェイトの調整も図ることが可能となる。
【００５８】
上述の各実施形態において、第１バッジ部２は、ヘッド本体１のソール部１ｂのヒールバック側に設けられ、第２バッジ部３は、ヘッド本体１のソール部１ｂのトゥバック側に設けられていた。しかし、第１バッジ部２及び第２バッジ部３が設けられる位置はこれらの位置に限られず、ソール部１ｂの他の位置に設けられていてもよいし、クラウン部１ｃ側に設けられていてもよい。
【００５９】
上述の各実施形態においては、第１振動子２２及び第２振動子３２は、第１開口部１１ａ及び第２開口部１１ｂの各径よりも小さい径を有し、第１蓋部２１及び第２蓋部３１と一体的に形成されており、第１蓋部２１及び第２蓋部３１によって第１開口部１１ａ及び第２開口部１１ｂをそれぞれ覆うと同時に第１振動子２２及び第２振動子３２をそれぞれ当該第１開口部１１ａ及び第２開口部１１ｂに挿入することによって第１バッジ部２及び第２バッジ部３がヘッド本体１に着脱可能に取り付けられた。しかし、第１バッジ部２及び第２バッジ部３のうち少なくとも一方は、ヘッド本体１に着脱可能に設けられていなくてもよく、蓋部と振動子とが別部材として設けられていてもよい。
【００６０】
この場合、第１振動子２２及び第２振動子３２の各自由端は、ヘッド本体１の外側から第１開口部１１ａ及び第２開口部１１ｂへ挿入する必要がないことから、第１開口部１１ａ及び第２開口部１１ｂの各径よりも大きい径を有していてもよい。例えば、ヘッド本体１のソール部１ｂ及びクラウン部１ｃで形成された開口に別部材としてのフェース部１ａが取り付けられる前に、当該開口から第１振動子２２及び第２振動子３２を内部空間に挿入して、当該第１振動子２２及び第２振動子３２の、第１開口部１１ａ及び第２開口部１１ｂに対応する径を有する軸部（円柱状の固定端）と、内部空間外の第１蓋部２１及び第２蓋部３１とを、第１開口部１１ａ及び第２開口部１１ｂを介して例えば螺着や溶接等によって接続することで、第１バッジ部２及び第２バッジ部３をヘッド本体１に取付けてもよい。
【００６１】
上述の各実施形態においては、第１振動子２２及び第２振動子３２の双方がバッジ部と一体的に着脱可能に設けられていた。しかし、第１振動子２２及び第２振動子３２のうち一方または双方が、バッジ部とは無関係に、ヘッド本体１の内面から内部空間へ突出形成されていてもよい。この場合、当該振動子は、ヘッド本体１の製造時にその内面に例えば溶接等によって取り付けられる。
【００６２】
上述の各実施形態では、ゴルフクラブヘッド１０としてドライバー（１Ｗ）のヘッドが示されたが、本発明は、スプーン（３Ｗ）やクリーク（５Ｗ）等のドライバー以外のウッドタイプのヘッドにも同様に適用可能である。
【符号の説明】
【００６３】
１…ヘッド本体
２…第１バッチ部
３…第２バッチ部
５…ゴルフクラブシャフト
１０…ゴルフクラブヘッド
１１ａ…第１開口部
１１ｂ…第２開口部
１２ａ…第１凹部
１２ｂ…第２凹部
２１…第１蓋部
３１…第２蓋部
２２…第１振動子
３２…第２振動子
【図１】
2018192004.tif 000003
【図２】
2018192004.tif 000004
【図３】
2018192004.tif 000005
【図４】
2018192004.tif 000006
【図５】
2018192004.tif 000007
【図６】
2018192004.tif 000008
【図７】
2018192004.tif 000009
【図８】
2018192004.tif 000010
【図９】
2018192004.tif 000011
【図１０】
2018192004.tif 000012